(57)【要約】      （修正有）【課題】ネットワーク設備および利用可能な帯域幅、取得できるＧＰＳ情報１１４、あるいは利用者やシステム要件に応じて異なるモードで動作可能なＧＰＳシステム１００を開示する。【解決手段】モードには、移動通信機器１０４が機器の位置を計算するスタンドアロンモード、計算された位置を移動通信機器１０４が通信ネットワーク内のサーバー１０８、アプリケーション１１０、または ＰＳＡＰ１１２へ送信する自律モード、移動通信機器１０４が機器の位置を計算するのをネットワークが支援するネットワーク支援モード、ネットワークベースモード、およびその他のモードが含まれる。【選択図】図１
2006153873.tif 000002
【特許請求の範囲】
【請求項１】
少なくとも１個のＧＰＳ衛星から少なくとも１個の信号を受信する地上位置サーバーと、
ＧＰＳ受信器セクションを含む無線通信機器とを含み、
前記ＧＰＳ受信器は、前記無線通信機器の地上位置を特定すべくスタンドアロンモードと少なくとも１個の別モードの間を選択的に切り替わることが可能であり、
前記少なくとも１個の別モードは自律モード、ネットワーク支援モード、およびネットワーク集中モードを含むグループから選択され、
前記選択的切り替わりは前記無線通信機器の地上位置の特定とほぼ同時に生起し、
前記無線通信機器は前記無線通信機器の特定された地上位置を前記地上位置サーバーへ選択的に送信することが可能である、地上位置システム。
【請求項２】
前記ＧＰＳ受信器の前記選択的切り替わりは前記無線通信機器により自動的に行なわれる、請求項１に記載の地上位置システム。
【請求項３】
前記ＧＰＳ受信器の前記選択的切り替わりは前記無線通信機器において手動で行なわれる、請求項１に記載の地上位置システム。
【請求項４】
前記無線通信機器の特定された地上位置の前記選択的送信は前記無線通信機器により自動的に行なわれる、請求項１に記載の地上位置システム。
【請求項５】
前記無線通信機器の特定された地上位置の前記選択的送信は前記無線通信機器において手動で行なわれる、請求項１に記載の地上位置システム。
【請求項６】
前記ＧＰＳ受信器は、所定のイベントが生起した場合に、スタンドアロンモードと少なくとも１個の別モードの間を切り替わる、請求項１に記載の地上位置システム。
【請求項７】
前記所定のイベントは利用者により手動で選択される、請求項６に記載の地上位置システム。
【請求項８】
前記所定のイベントは少なくとも１個のＧＰＳ衛星信号の初期捕捉である、請求項６に記載の地上位置システム。
【請求項９】
前記ＧＰＳ受信器の前記選択的切り替わりは、前記受信器を前記少なくとも１個の別モードからスタンドアロンモードへ切り替えることである、請求項８に記載の地上位置システム。
【請求項１０】
前記少なくとも１個の別モードはネットワーク支援モードである、請求項９に記載の地上位置システム。
【請求項１１】
前記少なくとも１個の別モードはさらに逆支援モードを含む、請求項１０に記載の地上位置システム。
【請求項１２】
前記無線通信機器は第二の情報源から情報を受信することができる、請求項１１に記載の地上位置システム。
【請求項１３】
前記第二の情報源は、ブルーツース（ｂｌｕｅｔｏｏｔｈ）ネットワーク、専用移動無線ネットワーク、個人通信システム（ＰＣＳ）ネットワーク、無線ローカルエリア・ネットワーク、赤外線ネットワーク、ポケットベルネットワーク、双方向ポケットベルネットワーク、あるいはＦＭ放送ネットワークを含むグループから選択されている、請求項１２に記載の地上位置システム。
【請求項１４】
前記無線通信機器の地上位置は、ＧＰＳ衛星信号および前記第二の情報源を用いて特定される、請求項１３に記載の地上位置システム。
【請求項１５】
前記無線通信機器は、前記無線通信機器の特定された地上位置を選択的に表示する、請求項６に記載の地上位置システム。
【請求項１６】
移動機器の地上位置を特定する方法であって、
前記移動機器において少なくとも１個のＧＰＳ衛星から少なくとも１個の信号を受信するステップと、
前記移動機器の地上位置を特定するステップと、
前記移動機器の前記特定された地上位置を無線ネットワークを介して地上位置サーバーへ選択的に送信するステップとを含み、
前記移動機器は、スタンドアロンモードおよび少なくとも１個の別モードを含むグループから選択されたモードへ選択的に切り替わることが可能であり、
前記少なくとも１個の別モードは、自律モード、ネットワーク支援モード、およびネットワーク集中モードを含むグループから選択されていて、
前記地上位置は、前記選択されたモードへの切り替えとほぼ同時に、前記選択されたモードを用いて特定される方法。
【請求項１７】
前記地上位置の特定は、前記移動機器により行なわれる、請求項１６に記載の方法。
【請求項１８】
前記地上位置の前記選択的送信は前記移動機器により行なわれ、前記地上位置は前記移動機器から前記地上位置サーバーへ送信される、請求項１７に記載の方法。
【請求項１９】
無線通信機器であって、
無線通信ネットワークと通信するための呼処理セクションと、
ＧＰＳ受信器セクションとを含み、
前記ＧＰＳ受信器セクションは、前記無線通信機器の地上位置を特定すべくスタンドアロンモードと少なくとも１個の別モードとの間を切り替え可能であり、
前記少なくとも１個の別モードは、自律モード、ネットワーク支援モード、およびネットワーク集中モードを含むグループから選択されていて、
前記選択的切り替えは、前記無線通信機器の前記地上位置の特定とほぼ同時に行なわれ、
前記無線通信機器は、前記無線通信機器の前記特定された地上位置を前記呼処理セクションへ選択的に送信して前記無線通信ネットワーク経由の転送が可能である無線通信機器。
【発明の詳細な説明】
【技術分野】
【０００１】
（関連出願との相互参照）
本出願は米国特許法第１１９条（ｅ）に基づき、２０００年８月１４日受理の米国仮出願第６０／２２５，０７６号、“無線ネットワーク用マルチモード全地球測位システム”（Ａｓｈｕｔｏｓｈ  Ｐａｎｄｅ他）を優先権主張し、同出願を本明細書に添付する。
【０００２】
（技術分野）
本発明は一般に全地球衛星システム（ＧＳＳ）受信器に関し、特にマルチモード全地球測位システム（ＧＰＳ）用の無線ネットワークに関する。
【背景技術】
【０００３】
（背景技術）
個人向け通信システム（ＰＣＳ）機器を含む、携帯電話技術（テレフォニ）が普及している。そのような機器を用いた音声、データ、およびインターネット・アクセス等の他のサービスの提供は、セルラー（携帯電話）システムの利用者にさまざまな利便性を提供している。２方向ポケットベル機能、基幹無線通信（ｔｒｕｎｋｅｄ  ｒａｄｉｏ）、警察、消防、および救急医療施設が利用する専用移動電話（ＳＭＲ）もまた移動通信に不可欠となっている。
【０００４】
携帯電話やＰＣＳ分野における最近注目すべき点は、全地球測位システム（ＧＰＳ）技術の携帯電話器器その他の無線受信器への統合化である。例えば、本明細書に添付のＫｒａｓｎｅｒによる米国特許第５，８７４，９１４号は、基地局（移動電話交換局（ＭＴＳＯ）としても知られる）が、セルラーデータリンクを用い、衛星の天文歴情報の受信や利用をしなくても捕捉した衛星への擬似的距離を計算してドップラー情報を含むＧＰＳ衛星情報を遠隔機器へ送信する方法について述べている。
【発明の開示】
【発明が解決しようとする課題】
【０００５】
ＧＰＳと携帯電話技術の統合に対する昨今の関心は、“９１１”呼出し（“拡張９１１”または“Ｅ９１１”とも呼ばれる）等の緊急呼出しが所定の携帯電話から発信されたならば、５０フィート以内の精度で携帯電話の位置が特定されるべきであるとの連邦通信委員会（ＦＣＣ）の新たな規制から生じている。このような位置データは、警察、緊急医療従事者、その他の司法担当者および公務員、並びに携帯電話の位置を特定する法的権限を必要とするか、または保持している他の当局者にとって有用である。さらに、移動電話に提供されるデータを移動電話利用者が用いて、携帯電話の利用者が特定しようとする他の場所や他の移動電話の方角、緯度、および経度位置（場所や位置）、携帯電話利用者の他の陸上の目印からの相対位置の特定、インターネット地図その他のＧＰＳ地図表示技術等を用いた携帯電話利用者への指示を得ることができる。このようなデータはＥ９１１呼出し以外の利用が可能であり、携帯電話およびＰＣＳ加入者にとって非常に有用であろう。
【０００６】
しかし、Ｋｒａｓｎｅｒによるアプローチは、ＧＰＳ専用データ・ウェアウハウスに接続可能なデータリンクの数により制限される。ＧＰＳデータを求めたり、必要としている携帯電話やＰＣＳ利用者の各々にＧＰＳ情報を配信するための追加要件を管理するためにシステムハードウェアをアップグレードする必要があり、それらの要件は、無線システムが管理および配信する標準的な音声およびデータトラフィックを扱うための要件よりも重要性が高いであろう。
【０００７】
ＧＰＳシステムと無線ネットワーク間の支援に関連する別の特許として、Ｓｃｈｕｃｈｍａｎ他による米国特許第５，３６５，４５０号があり、本明細書に添付する。Ｓｃｈｕｃｈｍａｎ特許では、ＧＰＳ受信器がＧＰＳ衛星を捕捉して追跡するために携帯電話システム全体にわたる天文歴情報支援が必要とされる。しかし、携帯電話その他の無線ネットワークは必ずしも移動ＧＰＳ受信器に天文的支援を提供する機能を有するわけではない。
【０００８】
従って、当分野において携帯電話やＰＣＳ加入者を含む無線通信システムへＧＰＳデータを効率的に配信するニーズがあることがわかる。また、当分野においてＧＰＳ対応の携帯電話およびＰＣＳ電話のニーズがあることもわかる。また、当分野において携帯電話／ＰＣＳ加入者向けにＧＰＳ衛星データを受信することができるＧＰＳ対応の携帯電話およびＰＣＳ電話のニーズ要があることもわかる。また、当分野においてＥ９１１を含む各種の用途に、地理的に近接した基地局を必要とせずに携帯電話利用者に対するＧＰＳ情報の利用および／または提供が可能な大規模な携帯電話システムのニーズがあることもわかる。
【課題を解決するための手段】
【０００９】
（発明の開示）
上述の従来技術における制約を最小限にすべく、また本明細書を精読／理解した上で明らかになるその他の制約を最小限すべく、本発明は移動機器の位置を特定するためのシステム、機器および方法を開示する。本システムは地上位置サーバーおよび無線通信機器を含む。地上位置サーバーは少なくとも１個のＧＰＳ衛星から少なくとも１個の信号を受信する。無線通信機器はＧＰＳ受信器セクションを含み、ＧＰＳ受信器は無線通信機器の地上位置を特定するために、スタンドアロンモードおよび少なくとも他の１つのモードとの間を選択的に切り替わることができる。無線通信機器は地上位置サーバーへ無線通信機器が特定した地上位置を選択的に送信することができる。
【００１０】
本発明の目的は、携帯電話およびＰＣＳ加入者を含む無線通信システムへＧＰＳデータを効率的に配信する方法およびシステムを提供することである。本発明の別の目的は、ＧＰＳ対応の携帯電話およびＰＣＳ電話を管理可能なシステムおよび方法を提供することである。本発明の別の目的は、ＧＰＳ対応の携帯電話およびＰＣＳ電話向けに、携帯電話／ＰＣＳ加入者が利用するＧＰＳ衛星データを受信できる方法およびシステムを提供することである。本発明のさらに別の目的は、大規模な携帯電話システム向けに、携帯電話利用者がＥ９１１を含む各種の用途にＧＰＳ情報の利用および／または提供が可能な方法およびシステムを提供することである。
【発明を実施するための最良の形態】
【００１１】
（発明を実施するための最良の形態）
以下の記述において、本明細書の一部を形成するとともに、本発明の特定の実施の形態を図解する添付図面を参照する。他の実施の形態を用いてもよく、また構造的な変更を加えても本発明の範囲から逸脱しないことが理解されよう。
【実施例】
【００１２】
（概要）
ＧＰＳコンポーネントを無線通信システム（携帯電話、ポケットベル、２方向ポケットベル、情報携帯端末、ブルーツース（Ｂｌｕｅｔｏｏｔｈ）およびＰＣＳシステムを含む）と統合する際に、ＧＰＳシステムは、典型的な無線通信システム利用者が遭遇するであろう条件下でＧＰＳ衛星を捕捉して追跡する能力を備えていなければならない。例えば、屋内利用や、超高層ビルが邪魔で衛星が観測できない都心区域等、上空が見通せない密集した都市区域での利用等、条件のいくつかは、地上基地無線通信システムでは対処できるものの、ＧＰＳシステムには好ましくない。例えば、ＧＰＳ受信器がＧＰＳ衛星からの信号を捕捉して、衛星を追跡し、求められればＧＰＳシステムへ外部情報を一切配信することなくナビゲーションを行なう従来のスタンドアロンモードＧＰＳには、初期特定所要時間（ＴＴＦＦ）が長いという問題があり、さらに屋内または上空の見通しが限定された条件下でＧＰＳ衛星信号を捕捉する能力が限定される。若干の追加情報があったとしてもＴＴＦＦ時間が３０秒を超える場合があるが、それは天文データをＧＰＳシステム自身が捕捉せねばならず、またそのような情報を確実に捕捉するには強力な信号を必要とするからである。ＧＰＳシステムのこれらの要件は、位置情報の可用性の信頼性だけでなく携帯無線通信システム機器の電力消費量に影響を与える。
【００１３】
これらの問題を克服すべく、本発明は各種の要因に依存する複数の動作モードを可能にする。本発明のＧＰＳシステムは、例えばＧＰＳ受信器が強力な信号を受信していて、最新の天文または暦的データを有している場合、または正確な位置が必要とされない場合、スタンドアロンモードで利用することができる。しかし、本発明のＧＰＳシステムが、十分強力なＧＰＳ信号を受信していない場合、例えば携帯無線通信機器を屋内で使用している場合には本発明のＧＰＳシステムは異なる動作モード、例えばＧＰＳシステムがＧＰＳ受信器から受信したＧＰＳ信号および無線通信システムから提供された追加情報を用いて捕捉、追跡、および／またはナビゲートするのを無線通信システムが助けたり“支援”する動作モードに切り替わることができる。この動作モードは“ネットワーク支援”モードと呼ばれる。さらに、本発明のＧＰＳシステムは、より厳しい信号受信環境で用いられる場合、ＧＰＳ受信器または携帯電話器に位置情報を提供するためには無線通信システムに完全に依存し、本発明のＧＰＳシステムは次いで与えられた無線通信ネットワークまたは“ネットワークベース”動作モードで動作しよう。本発明のＧＰＳシステムは、利用者が選択した好みや要求とともに数個の変数に基づいてこれらの動作モード間を切り替わることができ、またローカルまたはリモート制御のいずれかにより、あるいはＧＰＳシステムに与えられた自動または手動コマンドのいずれかにより切り替わることができる。
【００１４】
さらに、以下に述べるように本発明のマルチモード動作は統合化されたＧＰＳ／無線通信システムにさらなる利点をもたらす。
【００１５】
（ＧＰＳアーキテクチャ）
図１にＧＰＳアーキテクチャを示す。
【００１６】
本発明の携帯電話器測位技術はＧＰＳ技術を用いて、Ｅ９１１および地上位置サービスを実装すべく各種の携帯電話器機器を支援する。無線ネットワーク通信サービスとともに本発明により可能となる低コスト、低消費電力、高性能、高精度ＧＰＳ受信器を利用することにより、本発明の携帯電話器位置特定は無線支援ＧＰＳに対し信頼性が高く経済的なソリューションを提供する。
【００１７】
本発明の携帯電話器位置特定技術は、完全スタンドアロンモード、ネットワーク支援モードから、ネットワークベースのサービスモード、その他のモードまで、あらゆる種類の地上位置サービスに対応している。本発明の技術はまた、ＣＤＭＡ、ＴＤＭＡ、ＡＭＰ、およびポケットベルシステムまで含む広範な無線通信プラットホームを受け入れる。図１に携帯電話器の位置特定の概念を示す。
【００１８】
システム１００はＧＰＳ衛星１０２を示し、軌道内にあるＧＰＳ衛星１０２の衛星群、ＧＰＳ受信器を構成する携帯電話器１０４、基地局１０６、地上位置（サーバー）サービスセンター１０８、地上位置終端アプリケーション１１０、および公共安全応答地点（ＰＳＡＰ）１１２を図解している。
【００１９】
ＧＰＳ衛星１０２は携帯電話器１０４および地上位置サーバー１０８において受信されたスペクトラム拡散信号１１４を送信する。図を見やすくするために他のＧＰＳ衛星１０２は図示しないが、他のＧＰＳ衛星１０２もまた携帯電話器１０４および地上位置サーバー１０８により受信された信号１１４を送信している。携帯電話器１０４が十分強力な信号１１４を受信可能な場合、携帯電話器１０４内のＧＰＳ受信器はＧＰＳシステムで通常行なわれるように、携帯電話器１１４の位置を計算することができる。しかし、携帯電話器は通常、携帯電話器１０４の位置を自律的に計算するのに十分強力な信号１１４を受信できないか、または十分な数のＧＰＳ衛星１０２から信号を受信できないが、依然として基地局１０６とは通信可能である。従って、基地局１０６は信号１１６を介して携帯電話器１０４へ情報を送信することにより携帯電話器１０４を位置を計算可能にしたり、あるは携帯電話器１０４から地上位置サーバー１０８へ情報を送信することにより地上位置サーバー１０８が携帯電話器１０４の位置を計算可能にする。基地局１０６が携帯電話器１０４へ情報を転送して携帯電話器１０４が位置の計算を行なえるようにする場合を“無線支援ＧＰＳ”と呼び、基地局１０６が携帯電話器１０４から地上位置サーバー１０８へ情報を転送して地上位置サーバー１０８が携帯電話器１０４の位置を計算する場合を“ネットワーク集中ＧＰＳ”と呼ぶ。
【００２０】
地上位置サーバーはまた、信号１１８を介して地上位置アプリケーション１１０と、また信号１２０を介してＰＳＡＰ１１２と通信する。これらの信号１１８、１２０は無線接続経由でも、または地上電話回線網その他の有線ネットワーク経由でもよい。
【００２１】
本発明の携帯電話器１０４位置特定技術は２種類の主要なサービスシステムを含む。すなわち、本発明のＧＰＳ受信器と携帯電話器１０４の組合わせ、および本発明の地上位置ソフトウェアモジュールを含む地上位置サーバー１０８である。さらに、２種類の支援システムがある。すなわちネットワーク情報転送機構を提供する基地局（ＢＳ）１０６基盤構造、および地上位置ネットワークサービスを主導できるＰＳＡＰ１１２またはアプリケーション１１０システムである。
【００２２】
携帯電話器１０４は、呼処理（ＣＰ）機能を実行する典型的な携帯電話器１０４部、および本発明の携帯電話器１０４で実行される位置計算、擬似距離測定その他のＧＰＳ機能用のＧＰＳセクションを含む。シリアル通信リンク、その他の通信リンクがＣＰセクションとＧＰＳセクションの間の通信を実行する。一群のハードウェア回線を用いてＣＰとＧＰＳセクションの間における信号送信を行なう。
【００２３】
図２に、本発明の呼処理セクション部とＧＰＳセクションの間の典型的なインタフェースを示す。
【００２４】
図２に示すように、携帯電話器１０４は呼処理（ＣＰ）セクション２００および全地球測位システム（ＧＰＳ）セクション２０２を含む。携帯電話器１０４内部で、あるいは携帯電話器１０４と携帯電話器１０４に付随する外部補助機器との間で、ＣＰセクション２００とＧＰＳセクション２０２の間に通信が生起する。これらの通信はＣＰセクション２００からＧＰＳセクション２０２へ信号の転送を可能にし、通常はシリアル通信リンク２０４とハードウェア回線２０６上で生起するが、必要であれば他の接続を用いてもよい。
【００２５】
別の実装方式において、例えばＣＰセクション２００とＧＰＳセクション２０２は同一デジタルプロセッサおよびその他の回路を共有していてもよい。このような場合、セクション間の通信はタスク間通信およびある種のデータ転送により実行可能であり、その際にＣＰセクション２００とＧＰＳセクション２０２の間で時間または周波数転送はハードウェア回線２０６を一切利用せず、回路内部で行なわれ、あるいは回路設計にもよるが潜在的に一切転送が必要とされないであろう。
【００２６】
図３に、本発明の終端間システムの別の実装方式を示す。
【００２７】
システム３００は携帯電話器１０４で受信される信号１１４を示す。典型的な携帯電話器は、通常ＲＳ２３２データリンク３０６で接続されているＧＰＳ受信器クライアント３０２およびＣＰセクション３０４を含む。ＣＰセクションは基地局１０６と通信し、基地局はセルラーおよび／またはセルラー／地上電話回線を介して主サーバー３０８と通信する。主サーバー３０８は、地上または無線ネットワークを介して、通常はＴＣＰ／ＩＰプロトコルを用いて地上位置サーバー１０８およびアプリケーション１１０と通信する。
【００２８】
ＧＰＳ信号１１４はまた、一連の基準受信器３１０でも受信され、これらは基準受信器の位置を計算してＧＰＳ信号１１４からデータを抽出する。例えば時間、ドップラー、周波数等の抽出データは、ＧＰＳ衛星群１０２内の全衛星についてＧＰＳデータ中心３１２へ送られる。必要ならば、地上位置サーバー１０８は携帯電話器１０４で利用できるようにデータセンター３１２からデータを抽出し、必要な、または要求されたデータを携帯電話器１０４またはアプリケーション１１０から送信する。主サーバーはまた、求められればＰＳＡＰ１１２とインターフェースを持つことが可能であり、求められるかまたは必要ならば主サーバー３０８と地上位置サーバー１０８を同時に位置特定することが可能である。
【００２９】
本発明の物理的実装方式は、例えば携帯電話、ＰＣＳ、２方向ポケットベル、専用移動無線（ＳＭＲ）、ショートメッセージ交換サービス（ＳＭＳ）等、利用する無線ネットワークに応じて図面に示すものと異なるかもしれない。図面は専ら説明目的のみに使われ、本発明の用途を他の無線システムに限定する意図はない。さらに本発明は、例えば地上線電話システム、ローカルエリア・ネットワーク等、有線接続されたシステムで利用することもできるが、これは本発明の範囲を逸脱しない。
【００３０】
図４に、本発明の別の実施の形態を示す。
【００３１】
システム４００は、携帯電話器１０４が受信する信号１１４を送信しているＧＰＳ衛星群１０２を示す。携帯電話器１０４は、クライアント４０２とも呼ばれるＧＰＳ受信器４０２、サーバー４０４、およびＣＰセクション４０６を含む。システム４００において、サーバー４０４は図３に示すサーバー１０８と同じ能力を持たないため“シン（軽装備）・サーバー”として知られている。システム４００はＧＰＳ衛星群１０２からも信号１１４を受信するためにＧＰＳ基準受信器３１０を用いて、ＧＰＳデータをデータセンター３１２に保存する。この情報は、サーバー４０４を用いてＣＰセクション４０６とクライアント４０２の間でデータを受送信するアプリケーション１１０または携帯電話器１０４から要求があれば主サーバー３０８へ送信される。システム４００はある種の支援データ、例えば天文データをサーバー４０４側の携帯電話器に保存して、要求があればＧＰＳクライアント４０２に提供できるようにする。
【００３２】
（無線ネットワークによるマルチモードＧＰＳ動作）
上述のように本発明のシステムは、例えば信号強度、オペレーターの介在、所望または要求するサービスの種類、期待性能（例えばＴＴＦＦが数秒なのか数十秒かかるのか）等、多くの変数に依存する異なるモードで動作可能である。各モードの動作を以下に記述する。
【００３３】
（スタンドアロンモード）
スタンドアロンモードにおいて、移動通信機器（携帯電話器１０４やＰＤＡとしても知られる）に置かれたＧＰＳ受信器２０２は無線通信ネットワークからは独立して動作する。ＧＰＳ受信器２０２はＧＰＳ衛星１０２信号１１４を捕捉し、これらの信号１１４を用いてＧＰＳ受信器２０２の位置を特定する。ＧＰＳ受信器２０２はまた、ＧＰＳ衛星１０２信号１１４を用いて追跡、および必要ならばナビゲーション機能を行なう。特定された位置は移動通信機器１０４内部で用いられる。
【００３４】
（自律モード）
自律モードにおいて携帯電話器１０４の位置はスタンドアロンモードと同様に、例えば携帯電話器１０４内のＧＰＳ受信器２０２によりセルラーその他の通信ネットワークから一切の支援なしに計算される。しかし、自律モードでは特定した位置を携帯電話器１０４内部で用いるのではなく、携帯電話器１０４は携帯電話器１０４の特定された位置を、例えば地上位置サーバー１０８、アプリケーション１１０、ＰＳＡＰ １１２等の通信ネットワークへ無線通信ネットワークを介して返送する。
【００３５】
（ネットワーク支援モード）
ＧＰＳ受信器が無線通信ネットワークを用いてある種の位置情報をＧＰＳ受信器へ配信してＧＰＳ受信器が捕捉、追跡、およびナビゲーション機能を行なうのを“支援する”異なる動作モードが実装可能である。このような情報は、暦または代替暦情報、粗い位置情報、ドップラーデータ、捕捉した衛星の位置、時間および周波数支援、受信された無線信号の強度（ＧＰＳ信号強度を推定するための参考値を得るため）、またはＧＰＳ受信器が捕捉、ナビゲート、または追跡するために必要な情報をＧＰＳ受信器が捕捉するのを支援する。そのような状況は、ＧＰＳ受信器から上空の見通しが制約されている場合や、ＧＰＳ受信器が遮蔽されているかＧＰＳ衛星信号が捕捉できないために自身で十分なＧＰＳ信号を捕捉することが不可能であるか、あるいは多重経路問題により衛星を追跡できない場合に起こり得る。さらに、このような状況はまた、所定のイベントにより条件付けられた利用者が望むかもしれない。例えば、携帯電話器からのＥ９１１呼び出し、利用者はＴＴＦＦが非常に短いことを望み、精度向上その他の理由により利用者はＧＰＳ計算に追加のネットワーク情報を含めるよう望むであろう。
【００３６】
ネットワーク支援アプローチがネットワーク集中（他の文献ではネットワークアシストモードとも呼ばれる）と異なる理由は、ネットワーク支援アプローチではＧＰＳ受信器は、ＧＰＳ受信器の位置を特定するのに必要な位置および追跡情報を最終的には独力で捕捉することができるからである。Ｋｒａｓｎｅｒ特許で述べているように、ネットワーク集中アプローチは、無線ネットワーク外から捕捉したＧＰＳ情報だけを用いて移動受信器の位置を特定することができない。その理由は、位置計算が本発明で述べるように移動通信機器内ではなく、基地局における無線ネットワーク内部で行なわれるためである。
【００３７】
さらにネットワーク支援アプローチは、本発明に関して述べるように、初期捕捉が行なわれたならば、スタンドアロンモード、自律モード、またはその他のモード間を切り替わることを許す。ネットワーク支援モードおよび本発明のアーキテクチャにより追跡、例えば、微弱な信号環境であっても自律モードまたはスタンドアロンモードで利用者位置を連続的に更新できる。Ｋｒａｓｎｅｒ特許のネットワークアシストアーキテクチャは通常、後続位置を計算する際にネットワークからの支援に依存し続ける。
【００３８】
ネットワーク支援モードは通常、微弱な信号環境におけるＧＰＳ信号の捕捉のためだけに用いられる。一旦ＧＰＳ信号が捕捉されたならば、本発明のＧＰＳ受信器はネットワークからの支援なしでもＧＰＳ信号を追跡することができる。Ｋｒａｓｎｅｒ特許のネットワークアシストモードでは、ネットワークが捕捉だけでなく追跡目的でＧＰＳ受信器を支援することを求める。
【００３９】
（ネットワークベースモード）
ネットワークベースモードはまた、ＧＰＳ受信器がＧＰＳ信号を全く受信できない状況でも用いることができる。その場合、ＧＰＳシステムはどのような測位情報を得るにせよ無線通信ネットワークに依存しており、その結果無線通信ネットワークにより配信される情報に“集中している”。通常、ネットワークベースモードはＧＰＳその他の衛星情報を用いることなく位置を計算する。携帯電話器１０４の位置はネットワークリソース、例えば、セルラー送信塔および到着時間差（ＴＤＯＡ）技術から配信される。携帯電話器１０４の位置を特定するためにＧＰＳその他の測位システム情報を受信することができない区域に携帯電話器１０４がある場合、このようなモードは有用である。
【００４０】
（その他のモード）
本発明のシステムは、スタンドアロン、自律、ネットワーク支援、またはネットワークベースの各モードにおいて、ＧＰＳ衛星システム外からだけでなく無線通信ネットワーク外からも情報を受信することができる。例えば、自律モードまたはスタンドアロンモードにおいて、ＧＰＳ受信器は音声やデータの送信にセルラー無線ネットワークを用いる一方で、ＧＰＳ衛星およびブルーツース・ネットワークから情報を受信することができる。ＧＰＳ捕捉、追跡、およびナビゲーション機能は、セルラーネットワークを用いずにブルーツース・ネットワークからの入力により拡張することができる。本発明の範囲の中で、ネットワーク支援またはネットワークベースモードの内部で生じる同様の働きが想定できる。さらに本発明は、無線通信ネットワーク内で利用すべくＧＰＳ情報を無線通信ネットワークへ返送する逆支援（ＲＡ）モードで動作可能である。
【００４１】
さらに、本発明の範囲から逸脱することなく、本発明のアーキテクチャおよびシステムを電話回線等の有線ネットワークへ拡張することができる。例えば、ラップトップやＰＤＡにＧＰＳ機能が搭載されていて、機器が有線または無線インターネットリンクに接続されている場合、ＧＰＳ計算はインターネットを介して支援されて建物内部の位置を計算することができる。位置はローカル環境で表示することも、あるいはサーバーへ送ることができる。このようなシステムはセキュリティその他の電話または有線接続されたシステム・アプリケーションに利用することができる。
【００４２】
本発明はまた無線ネットワーク監視にも利用でき、無線信号強度その他任意の位置関連情報とともに位置情報を支援を求める全利用者から収集して、ネットワークの中心位置で、セルがカバーする区域、単一セル内のトラフィック量、トラフィックが集中する箇所、無線の受信状態が悪い区域、新しい基地局の追加や移動に関する決定の支援を連続的に監視することができる。その区域で利用されているすべての移動システムによりリアルタイムでサービスの品質を監視することができる。
【００４３】
（動作モードの比較）
本発明の動作モードは、ＧＰＳ受信器フレームワークにさらなる柔軟性を持たせる。ＴＴＦＦを短縮する要求、ネットワーク帯域幅、または他の信号要求によりＧＰＳ受信器が制約されない場合、本発明のＧＰＳ受信器は所与の捕捉モードを自動的に選択すべくプログラム可能である。例えば、ネットワーク・トラフィックが混み合っている場合、すなわち無線通信ネットワークにおける帯域幅の可用性が小さい場合、本発明により利用者は自動的にまたは手動で自律モードまたはスタンドアロンモードを選択することができ、これは情報の支援を得るために無線通信ネットワークに依存しない。同様に、地上位置サーバー１０８の使用率が混み合っていて、情報支援の待ち時間が要件と合わない場合、利用者は自動的にまたは手動で自律またはスタンドアロンモードを選択することができる。しかし、無線ネットワークにおいて追加の帯域幅が利用可能であるか、または利用者がＥ９１１呼出しを行なうためにＴＴＦＦが短くなければならない場合、本発明は自律またはスタンドアロンモードの動作を手動で、または自動的に、自律またはスタンドアロン（天文データが最新であって、暗黙的支援情報がある場合）、ネットワーク基地局、ネットワーク支援モードにオーバーライドすることを許す。さらに、求められる信頼性ではネットワークが配信不可能であるか、またはネットワークに支援機能が備わっていない場合、ＧＰＳは他のモードまたは他の情報源を用いて、“拡張自律モード（ＡＡＭ）”と呼ばれる動作モードで、自律またはスタンドアロンモードを拡張する。ＡＡＭは、ブルーツース、あるいは圧力計、加速度計、またはジャイロ等他のセンサーを用いて、通信用途に使われているネットワーク外でＧＰＳを支援することができる。例えば、本発明は高層ビルの全階上でブルーツース送信機を利用して、自分の位置とフロア情報を電話へ送り、この“増補情報”はＧＰＳが配置データを配信するために建物の中に捕捉できない場合に備えて、送られるであろう。
【００４４】
本発明のマルチモードアーキテクチャは、利用可能であればネットワーク支援を利用することにより、自動的にシームレスかつ信頼できる応答を実現し、支援が利用不可能またはタイムリーに利用できない場合、システムが独立して動作できるようにする。ネットワーク支援された動作モードは自律またはスタンドアロンＧＰＳの起動時制約を克服し、ネットワークベースモードと同程度の性能を可能にするが、起動後も引き続いてネットワーク接続している必要はない。支援データ（天文データ、おおよその位置、おおよその時間等）が何らかの通信媒体を介して携帯電話により受信されている場合、ＧＰＳの起動時において通信リンクはオフにすることができる。これがシン・サーバーを無線通信機器に直接搭載する保存後転送方式方法である。アーキテクチャのシームレスな特性と柔軟性により、サービスプロバイダがネットワークの能力と所望のサービス種類に基づいて自身のニーズを満たすべくシステムを調整できるようにする。
【００４５】
さらに、動作モードの選択はサービスの種類または利用者がシステムに期待または要求する精度に依存していてよい。例えば、利用者がＥ９１１呼出しを行なった場合、ＧＰＳ受信器は自動的に可能な最適なタイミングで最も正確な位置情報を提供するモードに設定することができる。そのモードはネットワークベースであるかもしれないが、移動ＧＰＳ受信器が位置計算情報を特定できるように完全なＧＰＳ情報セットをネットワークが提供できない場合、ネットワークとＧＰＳ受信器の処理能力が並列に用いられるように受信器はネットワーク支援に切り替わることができる。別の例として、ある利用者が特定の場所への方向を求めている場合、受信器は自動的に、タイムリーに情報を提供する自律またはスタンドアロンモードを選択できるが、システムの電源や処理能力に対してこのような要求をすることはできない。さらに、本発明は利用者が自動選択された動作モードをオーバーライドすることを許す。本システムはまた、一旦所定のイベント、例えばＧＰＳ受信器の最初の位置計算が得られた場合、モード間を切り替わることができる。例えば、Ｅ９１１呼出しがなされた場合、本発明はネットワーク支援モードを選択して可能な限り速く受信器向けに位置情報を捕捉することができる。一旦その情報が届けられ、かつ最初の位置が計算されたならば、本発明は自律モードまたはスタンドアロンモード等の異なるモードに切り替わって、無線通信ネットワーク内で追加された帯域幅が他の利用者にも利用できるようにする。本発明のアーキテクチャはまた、支援情報の受信を可能にし、利用者に対し位置情報がネットワークに返送されることを了承するか、または、プライバシーの理由で望むならば、利用者だけが利用できるように移動システムに“固定する”、のいずれかの選択権を与える。
【００４６】
本発明のアーキテクチャはまた、利用回数に応じてネットワークアクセスが利用者に課金される場合、たとえＧＰＳ受信器が利用者の要求に応える必要があると判断しても、支援用のネットワーク接続を拒否する選択権を利用者に与える。このような状況において、ＧＰＳ受信器はスタンドアロンモードでの位置提供を試みるが、利用者の本来の要求が満たされるか否かは保証しない。本発明はこのように、無線通信ネットワークの帯域幅がより効率的に利用できるように帯域幅の管理を可能にする。本発明はさらに、ＧＰＳ受信器上で利用可能な処理を含めてネットワークリソースの動的な割り当てを行なって、なるべく多くの情報を並列に処理できるようにする。これは多数の利用者の位置をより効率的に計算すべくＧＰＳクライアントおよびネットワークサーバープロセッサの動的ローディングを可能にする。このアプローチにより、無線通信システムの基盤構造に殆ど影響を与えることなく無線通信システム利用者の数を増やすことができる。
【００４７】
（多重相関アーキテクチャ）
本発明のシステムを支援するために、多重相関を用いて、自律またはスタンドアロンモードからネットワーク支援モードまたはネットワークベースモードへの切り替えを少なくしてシステムのＴＴＦＦを短縮し、より正確な位値またはより信頼性の高い結果を提供することができる。
【００４８】
（分散スマート・クライアント・サーバー・アーキテクチャ）
ＧＰＳ受信器（クライアントとしても知られる）および無線通信システム（サーバーとも呼ばれる）が捕捉、追跡、およびナビゲーションタスクの動作負荷を知的な仕方で分散可能にすることにより、本発明は捕捉を高速化し、ＴＴＦＦ時間を短縮し、ＧＰＳ受信器システムを部分的に停止したり選択的に起動可能にして移動機器のＧＰＳ部の電力消費を低減させることができる。
【００４９】
本発明のアーキテクチャはまた、ＧＰＳ受信器に保存されている天文的データが依然として正しいことを検証すべくネットワーク支援モードを用いて天文的データの事前検査、例えば保存された天文的データの品質検査を可能にする。同様に、ネットワーク支援モードにより本発明が粗い位値捕捉シナリオに用いられる粗い位置データを導くことを可能にし、実際の場所特定のために既知の天文的または暦に基づく時間タグ近似位置とデータの後処理が使われる。
【００５０】
もう一つの（拡大自律）モードはまた、近似位置特定でＧＰＳ受信器を支援する低電力ショートレンジ無線技術だけでなく、ブルーツース等の、低電力ショートレンジ無線技術を利用して、ＧＰＳ受信器が初期特定所要時間（ＴＴＦＦ）時間を短縮することができる。
【００５１】
本発明はまた、自律またはスタンドアロンとネットワーク支援モードの間を切り替わることにより、あるいはネットワーク支援モードのままで、無線通信ネットワークを介して、誤差を少しづつ変化させながら正確なローカル位置を取得すべく，例えばＩｏｎｏ補正係数や更新された代替暦情報等の補正情報をＧＰＳシステムへ送ることができる。本発明はまた、例えば、加速度計、圧力センサー、チルトメーター等各種のソースからのデータ“融合”を可能にでき、これらはまた無線通信機器上に存在して位置特定の精度を高めるとともに、無線通信機器におおよその位置、時間、および周波数情報を提供して無線通信機器がより正確に位置特定をできるようにし、および／または各クライアントに対するＴＴＦＦ時間を短縮する。
【００５２】
（逆支援）
本発明はまた、送信ビームを携帯電話器の方へ向けるべく無線通信システムを逆向きに支援（ＲＡ）することが可能な位置特定機器と無線通信システム設備の間で共通の周波数基準を共有するための装置を含む。これにより無線通信システムは各移動通信利用者に狙いを定めた成形送信ビームを向けたり形成する位相化配列技術を利用できるため、セル内部でさらに周波数の再利用やコードの再利用が可能になる。これにより形成または方向付けられた光線は通常、全方位ビームパターンよりもゲインが大きいため、基地局送信機の消費電力がより少なくなるとともに、移動通信利用者側の消費電力も少なくて済む。本発明のこの特徴により通信リンクを最適化して無線通信システム基地局の容量を増強するのに役立ち、コード分割多重アクセス（ＣＤＭＡ）ネットワークが非常に有用である。その理由は、ＣＤＭＡネットワークの容量がコード効率ではなく、ネットワークに入る利用者が増えるにつれて増大するノイズ下限により制約されるためである。
【００５３】
ＲＡはまた、極めて正確な絶対時間と周波数基準を提供することにより、無線ネットワークの捕捉およびコード同期を速めるためにも利用できる。ＲＡはまた、ＧＰＳ位置を用いて、別の基地局に切り替わる時期の決定を支援することもできる（ＧＰＳ支援の基地局ハンドオーバー）。
【００５４】
ＲＡはまた、ネットワークを通信媒体としてのみ利用して、第一の移動システムが絶対時間情報を取得してネットワーク時間とＧＰＳ時間の相違を測定し、その情報をネットワークへ返送する、移動体間通信にも利用できる。ＧＰＳ支援情報を求める次の利用者は、ＧＰＳ時間とネットワーク時間の差を受信し、この情報のネットワーク時間を修正してＧＰＳ時間を取得し、自身のＧＰＳ捕捉プロセスに役立てる。
【００５５】
別の実施の形態において、ネットワークは、同一区域内で異なる時点に数人の利用者から冗長な較正情報を受信し、ネットワーク時間オフセットおよび周波数ドリフトをモデル化して将来における値を予想することができる。このように、どの移動体からも情報が受信されない期間の後であってもネットワークは新しい移動体にタイミング支援情報を提供することができる。
【００５６】
利用者間ＲＡもまた、周波数転送にあてはまる。ここに、ネットワーク周波数と移動体内ＧＰＳ周波数の間で測定された周波数誤差はネットワークに返送されて、支援情報の一部として新しい利用者に返送される。
【００５７】
サーバーを用いない移動体間直接ＧＰＳ支援はまた、支援を求める次の利用者に再送する前に一時的に支援情報を保存するサーバーの介在なしに利用できる。位置を捕捉した移動体は、正しい天文歴情報と、恐らくネットワーク時間とＧＰＳに対する周波数誤差を有し、基地局を介した同じ区域内の他の任意の移動体へもこの情報をブロードキャストすることができる。
【００５８】
地上に基地を置く無線通信ネットワークは、クライアントの位置を与えられた際のクライアントにおける多重経路受信問題を修正すべく、多重経路のモデリングの支援および／またはモデリングツールの供給が可能であるため、ＲＡはまたクライアントにおける多重経路問題を修正するためにも利用できる。
【００５９】
さらに、本発明は、無線通信システムが位相ロックループ（ＰＬＬ）を整列させて利用者の動きに付随する問題を解決するのを支援すべく、ＲＡがＧＰＳ受信器からの速度情報を利用できるように。特に、ＧＰＳからの絶対利用者速度情報を用いて無線追跡ループを誘導することにより有効無線セル半径を広げ、それにより無線信号強度が弱くても無線動作が可能になる。
【００６０】
（時間および周波数支援）
無線ネットワークシステムは通常、高品質の基準クロックを備えており、ＣＤＭＡ等ある種の無線ネットワークシステムは絶対ＧＰＳ時間に同期させられている。本発明は、無線ネットワーク周波数基準を携帯受信器のＧＰＳセクションへ転送してＧＰＳクロック周波数オフセットを推定し、周波数の不確定性を大幅に減少させることができる。ＧＰＳ時間基準はまた、ＧＰＳセクションへ転送されてＧＰＳクロック時間を設定することができる。時間と周波数を転送する主な目的は、受信器側のクロック時間と周波数の不確定要素を減らし、それによりはＴＴＦＦを短縮するためである。時間転送はまた感度の向上にも寄与することができる。
【００６１】
（時間転送）
図５に、本発明と共に用いられる時間転送機構を示す。
【００６２】
システム５００は、測位ユニット（ＬＭＵ）を備えたＣＤＭＡやＧＳＭ等、絶対ＧＰＳ時間に同期させられている典型的な無線ネットワークシステムを示す。通常、ＧＰＳ時間基準５０２は携帯電話器１０４のＧＰＳセクションへ転送されて、ＧＰＳクロック時間をＧＰＳ時間に同期させる。本発明の携帯電話器位置特定システムの場合、時間転送は３つのステップで実現できる。
【００６３】
第一のステップにおいて、基地局（ＢＳ）クロック５０４はＧＰＳ時間基準５０２に同期させることができる。ＢＳクロック５０４における時間精度はシステム構成に依存し、１００〜３００ナノ秒の範囲に含まれる。これは特定のタイプのネットワークに組み込まれた特徴である。
【００６４】
第二のステップにおいて、ＣＰクロック５０６は、ＢＳクロック５０４からＣＰクロック５０６へ送信されたマスターフレームにおける特定の一イベントの受信を計時することによりＢＳクロック５０４に同期させられる。ＢＳクロック５０４は３００ナノ秒の精度で絶対ＧＰＳ時間で予測可能な最初のビットの送信時間にマスターフレームを送信する。ＢＳクロック５０４とＣＰクロック５０６の間の同期誤差は、ＢＳクロック５０４信号のＲＦ基準点、ＢＳクロック５０４の集団遅延、携帯電話器１０４と基地局の間の距離による信号送信時間、ＣＰセクションの集団遅延、および携帯電話器１０４アーキテクチャにより生起される。
【００６５】
携帯電話器１０４が基地局を追跡する限り、携帯電話器１０４のＣＰセクションは絶対ＧＰＳ時間を認知しており、リアルタイムにではなく製品統合フェーズの間測定および調整されてきた、携帯電話器１０４におけるＧＰＳ時間に付随する精度を予測することができる。携帯電話器１０４が基地局またはＢＳクロック５０４を見失えば、ＣＰクロック５０６の精度が劣化する。ＣＰクロック５０６性能劣化はＣＰクロック５０６周波数の安定性に基づいて予測でき、通常はＡｌｌａｎ分散および直近の追跡の古さで表わされる。
【００６６】
本発明の携帯電話器場所システムは、空中インターフェースに非依存なように設計されている。携帯電話器１０４製造業者は追跡条件、ＣＰクロック ５０４周波数安定性、および空中インターフェース性能の知識を有するため、携帯電話器１０４製造業者はＧＰＳクロック５０８にモデルおよび／またはインターフェースを提供して、絶対ＧＰＳが時間およびあらゆる不確定要素効果を含む付随精度を転送する好適なまたは最適な方法を決定することができる。
【００６７】
第三のステップにおいて、ＧＰＳクロック５０８はＧＰＳセクションとＣＰセクションの間の通信リンクを介してＣＰセクションクロック５０６に時間転送メッセージを求める。通常は、この時間転送要求メッセージはパラメータを含んでいない。
【００６８】
ＣＰセクション２００はこのようなメッセージにいくつかの異なる方法で応答することができる。ＣＰセクションは正確なタイミングイベントを生成して時間転送応答メッセージを返送できる。タイミングイベントは通常、１個の長方形パルスであり、立ち上がりエッジがアクティブであるか、立下りエッジがアクティブであるかのいずれかである。時間転送応答メッセージは通常、ＧＰＳ週におけるタイミングイベントの時刻、その週の経過秒数、および秒単位の時間不確定要素を含んでいる。ＧＰＳクロック５０８を用いてタイミングイベントを計時することにより、ＧＰＳクロック５０８ＣＰクロック５０６時間に同期させられる。
【００６９】
ＣＰセクション２００はまた、ＧＰＳセクションに“デルタ”メッセージを返送することもできる。例えば、ＣＰセクション２００またはＧＰＳセクション２０２はＣＰクロック５０６とＧＰＳクロック５０８を監視することができる。時間転送要求があれば、どちらのセクションがクロックを監視しているにせよ、ＣＰセクション２００またはＧＰＳセクション２０２がＧＰＳ時間５０２を受信し、ＧＰＳクロック５０８とＧＰＳ時間５０２の間の相違が計算される。このデルタは次いで、新たに時間転送が要求されるまでＧＰＳ計算と位置特定に利用できる。
【００７０】
タイミング情報が典型的に必要とされるのは、ＧＰＳセクション２０２が新しいＧＰＳ衛星１０２を新たに探索し始めた場合である。タイミング同期はＧＰＳセクション２０２の要求があった場合に定期的に行なうことができない。探索で利用可能な有効時間精度は、ＧＰＳクロック５０８の品質の故に直近の再較正からの時間経過とともに劣化するであろう。しかし、本発明に関して述べたアプローチではＣＰクロック５０６をＢＳクロック５０４を介してＧＰＳ時間基準５０２に固定する必要性だけでなく、ＧＰＳクロック５０８をＣＰクロック５０６に固定する必要性が低下ないし消滅する。Ａｌｌａｎ分散で表わされるＧＰＳクロック５０８の周波数安定性は、温度に対する周波数安定性と同様に、ＧＰＳ衛星１０２信号探索の開始時点における時間不確定要素を予測するために利用されるであろう。本発明は、携帯電話器１０４が経時劣化効果を正確に予測し、時間転送周期性を選択し、時間転送の実行を支援する。それはＧＰＳクロック５０８の選択の制御および次の探索がいつ行なわれるかは本発明のシステムの制御下にあるためである。
【００７１】
（周波数転送）
図６に、本発明と共に用いられる周波数転送を示す。
【００７２】
米国で利用されているＣＤＭＡシステム等の携帯電話システムにおいて、各基地局（ＢＳ）１０６は高品質の基準クロックを備えている。システム６００は、ＢＳクロック周波数が関連付けられているＢＳクロック６００が以下のようにＣＰ６０２へ、次いでＧＰＳクロック６０４へ転送され、必要に応じてＧＰＳクロック６０４周波数オフセットを推定することができることを示す。
【００７３】
通常、ＣＰセクション２００は無線ネットワーク信号を追跡して、ＢＳクロック６０２に相対的にオフセット関係にあるＣＰクロック６０４の周波数を測定する。測定後のＣＰクロック６０４周波数の不確定要素は、ネットワーク標準により指定されたＢＳクロック６０２周波数オフセット、携帯電話器１０４追跡ループ性能、ＣＰクロック６０４周波数安定性、および携帯電話器１０４の移動により生じる。
【００７４】
ＣＰセクション２００は次いで、ＧＰＳセクション２０２へ周波数較正メッセージを周期的に送信する。このメッセージは通常、ＣＰクロック６０４とＢＳクロック６０２の間の周波数誤差を含んでいる。周波数較正メッセージは、ＧＰＳクロック６０６および／またはＣＰクロック６０４の要件に基づく更新の必要だけでなく、携帯電話器の能力により決定される周期で送られる。例えば、ＧＰＳクロック６０６とＣＰクロック６０４が共に高品位水晶（ｈｉｇｈ  ｑｕａｌｉｔｙ  ｃｒｙｓｔａｌｓ）である場合、更新メッセージはＧＰＳクロックとＣＰクロックが共に低品位水晶（ｌｏｗ  ｑｕａｌｉｔｙ  ｃｒｙｓｔａｌｓ）である場合よりも送られる回数が少なく、ある場合には１回だけで済むかもしれない。しかし、周波数誤差更新の周期性は携帯電話器１０４メーカーにより選択可能である。以下に述べるように、ＧＰＳクロック６０６はＣＰクロック６０４と比較されるため、周波数較正メッセージ間のいかなるＣＰクロック６０４対ＢＳクロック６０２ドリフトもＧＰＳクロック６０６の不確定要素に追加される。ＣＰクロック６０４を設定する別の方法は、ＣＰクロック６０４を受信された信号へ向けてＢＳクロック６０２に同期させ、周波数較正メッセージに対する要求を軽減するものである。
【００７５】
本明細書に添付するＫｒａｓｎｅｒの米国特許第５，８４１，３９６号等、その他のアプローチは、ＧＰＳクロック６０６をＣＰクロック６０４に固定する位相ロックループアプローチについて述べている。本発明はこのようなアプローチが想定しているＣＰセクション２００とＧＰＳセクション２０４の間の付加的な回路および信号転送を回避し、それにより本発明は既存のセルラー、無線、または有線電話システムにより容易かつ廉価に実装可能になる。
【００７６】
図７に、本発明と共に用いられる周波数転送アーキテクチャを示す。
【００７７】
システム７００に、ＧＰＳクロック６０６をＣＰクロック６０４に固定することなく、全体的な周波数誤差を合計周波数誤差推定により限定される範囲内に維持することが可能なシステムを示す。携帯電話器１０４メーカーは、較正後の残余推定周波数誤差およびＣＰクロック６０４のＡｌｌａｎ分散特性に依存して、メッセージ周期の特定の範囲を設計することができる。ＧＰＳセクション２０２はＣＰクロック６０４の絶対周波数を認識していないため、送信される情報は（Ｈｚ単位の）絶対誤差ではなく、相対周波数誤差である。ＧＰＳセクション２０２が必要とするメッセージは名目ＣＰクロック６０４周波数から独立している。
【００７８】
ＧＰＳセクション２０２およびＧＰＳクロック６０６は、ＣＰクロック６０４周波数の不確定要素情報を利用して信号捕捉性能を最適化する。携帯電話器１０４の動き以外のすべてが誤差推定は、無線基盤構造とＣＰセクション２００アーキテクチャに依存する。ＣＰセクション２００はＧＰＳ２０２へ周期的にメッセージを送る。それらのメッセージはＣＰクロック６０４のＨｚ単位の名目周波数を含んでいる。例えば、分割されたＣＰクロック６０４の周波数がＣＰセクション６０４により、絶対周波数誤差を相対周波数誤差、ＣＰクロック６０４相対周波数オフセット対ＢＳクロック６０２周波数、およびＣＰクロック６０４周波数オフセット不確定要素へ変換すべく測定するためにカウンタ７０２へ送られる。
【００７９】
ＧＰＳセクション２０２は次いで、カウンタ７０２を用いてＧＰＳクロック６０６とＣＰクロック６０４の間の相対周波数を測定する。カウンタゲーティング信号の有効幅は所定個数のＧＰＳクロック６０６パルスをカウントすることにより決定される。ゲーティング信号が持続する間のＣＰクロック６０４パルスの個数はＧＰＳクロック６０６とＣＰクロック６０４の間の相対周波数誤差を特定するために使われる。
【００８０】
周波数較正間の周波数ドリフトはＧＰＳクロック６０６のＡｌｌａｎ分散および温度に対するその安定性に依存する。較正の周期性は、ＧＰＳクロック６０６に割り当てられた最大周波数誤差およびＧＰＳクロック６０６の品質と依存して調整可能である。別の実施の形態において、または実装の利便性のために、周波数分割手段をＣＰクロック６０４とカウンタ７０２の間に挿入することにより、カウンタにより測定される絶対周波数を減少させることができる。
【００８１】
（プロセスチャート）
図８は、本発明を実施するために用いられるステップを示すフローチャートである。ブロック８００は、移動機器において少なくとも１個のＧＰＳ衛星から少なくとも１個の信号を受信する様子を示し、その中で移動機器はスタンドアロンモードと少なくとも１個の別モードの間を選択的に切り替わることができる。ブロック８０２は、移動機器の地上位置を特定する様子を示す。ブロック８０４は、移動機器の特定された地上位置を無線ネットワークを介して選択的に地上位置サーバーへ送信する様子を示す。
【００８２】
（結論）
これをもって本発明の好適な実施の形態の記述を終える。以下の段落は同じ目的を実現するためのいくつかの代替的な方法を記述する。本発明はＧＰＳシステムに関して記述されているが、本発明の範囲から逸脱することなく任意の衛星測位システム（ＳＡＴＰＳ）で利用できる。さらに、携帯電話システムに関して記述しているが、本発明の範囲から逸脱することなく他の無線または有線システムを本明細書に記述された携帯電話システムの代わりに、または組み合わせて用いることができる。本発明の範囲から逸脱することなく他の周波数転送および時間転送方法を用いることも可能である。
【００８３】
要約すれば、本発明は移動機器の位置を特定するシステム、機器、および方法を開示する。システムは地上位置サーバーおよび無線通信機器を含む。地上位置サーバーは少なくとも１個のＧＰＳ衛星から少なくとも１個の信号を受信する。無線通信機器はＧＰＳ受信器セクションを含み、その中でＧＰＳ受信器は無線通信機器の地上位置を特定するために自律モードまたはスタンドアロンモードと、少なくとも１個の別モードの間を選択的に切り替わることができる。無線通信機器は無線通信機器の特定された地上位置を選択的に地上位置サーバーへ送信することができる。
【００８４】
上に述べた本発明の好適な実施の形態は、図解と説明目的で提示した。これらは本発明のすべてを網羅したものでも、また開示内容そのままに限定するものでもない。上述の内容を参考にして各種の改造や変更が可能である。本発明の範囲はこの詳細な記述ではなく、添付された請求項により限定されるものとする。
【図面の簡単な説明】
【００８５】
以下の図面において同一図番は全体を通じて対応する部分を表わす。
【図１】典型的なＧＰＳアーキテクチャの図である。
【図２】本発明の呼処理セクション部とＧＰＳセクションの間のインタフェースを示す図である。
【図３】本発明に基づく別の終端間システムの実装を示す図である。
【図４】本発明のシン・サーバー実装を示す図である。
【図５】本発明に基づく、ＧＰＳ時間基準とＧＰＳクロックとの間に時間転送を示す図である。
【図６】本発明に基づく周波数転送ブロック図である。
【図７】本発明に基づく周波数転送アーキテクチャを示す図である。
【図８】本発明を実施するために用いるステップを示すフロー図である。
【図１】
2006153873.tif 000003
【図２】
2006153873.tif 000004
【図３】
2006153873.tif 000005
【図４】
2006153873.tif 000006
【図５】
2006153873.tif 000007
【図６】
2006153873.tif 000008
【図７】
2006153873.tif 000009
【図８】
2006153873.tif 000010
【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
無線送受信機であって、
音声またはデータを無線ネットワークへ送信し、音声またはデータを無線ネットワークから受信する呼処理セクションと、
少なくとも１つのＧＰＳ衛星から少なくとも１つの信号を受信するＧＰＳセクション
を備え、その呼処理セクションが音声またはデータを送受信することに並行して、そのＧＰＳセクションがそのＧＰＳ衛星からの信号を受信してその無線送受信機の位置を特定可能である、無線送受信機。
【請求項２】
前記呼処理セクションが、その呼処理セクションによって受信されたデータから処理されたＧＰＳセクションを支援するための支援情報をＧＰＳセクションへ送信可能である、請求項１の無線送受信機。
【請求項３】
前記ＧＰＳセクションが、ＧＰＳセクションによって受信された信号から処理された情報を呼処理セクションへ送信可能である、請求項２の無線送受信機。
【請求項４】
携帯電話機であって、
音声またはデータを無線ネットワークへ送信し、音声またはデータを無線ネットワークから受信する呼処理セクションと、
少なくとも１つのＧＰＳ衛星から少なくとも１つの信号を受信するＧＰＳセクション
を備え、その呼処理セクションが音声またはデータを送受信することに並行して、そのＧＰＳセクションがそのＧＰＳ衛星からの信号を受信してその携帯電話機の位置を特定可能である、携帯電話機。
【外国語明細書】
2006153873000001.pdf
2006153873000002.pdf
2006153873000003.pdf
2006153873000004.pdf